(57)【要約】  基準ベースの条件に基づくセル再選択のために装置、コンピュータプログラム、および方法が提供される。オペレーションにおいて、ネットワークの、第１優先度をもつ第１周波数を利用する第１セルによりサービス提供されているモバイル通信デバイスに関連する情報が特定される。それから、情報が１または複数の基準を満たすかについて判断がなされる。そのような判断に基づき、モバイル通信デバイスに関して、ネットワークの、第２優先度をもつ第２周波数を利用する第２セルに関連する再選択が条件に基づき生じさせられる。
2019521589.tif 000002
【特許請求の範囲】
【請求項１】
ネットワークの、第１優先度をもつ第１周波数を利用する第１セルによりサービス提供されているモバイル通信デバイスに関連する情報を特定する段階と、
前記情報が１または複数の基準を満たすか判断する段階と、
前記判断に基づき、前記モバイル通信デバイスに関して、前記ネットワークの、第２優先度をもつ第２周波数を利用する第２セルに関連する再選択を条件に基づき生じさせる段階と
を備える方法。
【請求項２】
前記情報は、前記モバイル通信デバイスの速度と関連する、請求項１に記載の方法。
【請求項３】
前記１または複数の基準は、速度関連閾値を伴い、前記判断は、前記情報が前記速度関連閾値を超えるか判断する、請求項２に記載の方法。
【請求項４】
前記情報は、基準信号受信電力（ＲＳＲＰ）または基準信号受信品質（ＲＳＲＱ）のうち少なくとも１つと関連する、請求項１に記載の方法。
【請求項５】
前記ＲＳＲＰまたは前記ＲＳＲＱのうち少なくとも１つと関連する前記情報は、前記ネットワークの前記第１セルに関連する、請求項４に記載の方法。
【請求項６】
前記ＲＳＲＰまたは前記ＲＳＲＱのうち前記少なくとも１つと関連する前記情報は、前記ネットワークの前記第２セルに関連する、請求項４に記載の方法。
【請求項７】
前記１または複数の基準は、設定可能な閾値を伴い、前記判断は、前記情報が前記設定可能な閾値をクロスするか判断する、請求項４に記載の方法。
【請求項８】
前記１または複数の基準はＲＳＲＰ閾値またはＲＳＲＱ閾値のうち少なくとも１つを伴い、前記判断は、前記情報が前記ＲＳＲＰ閾値または前記ＲＳＲＱ閾値のうち前記少なくとも１つをクロスするか判断する、請求項４に記載の方法。
【請求項９】
前記判断は、前記ネットワークの前記第１セルに関連する前記ＲＳＲＰまたは前記ＲＳＲＱのうち少なくとも１つと、前記ネットワークの前記第２セルに関連する前記ＲＳＲＰまたは前記ＲＳＲＱのうち少なくとも１つとの比較を伴う、請求項４に記載の方法。
【請求項１０】
前記１または複数の基準は閾値を伴い、前記判断は、前記情報が最小時間量の間、前記閾値をクロスするか判断する、請求項４に記載の方法。
【請求項１１】
前記１または複数の基準は前記モバイル通信デバイスにより設定される、請求項４に記載の方法。
【請求項１２】
前記１または複数の基準は前記ネットワークにより設定される、請求項４に記載の方法。
【請求項１３】
前記再選択は、特定の技術を利用して条件に基づき生じさせられる、請求項１に記載の方法。
【請求項１４】
前記特定の技術は、前記第１周波数の前記第１優先度または前記第２周波数の前記第２優先度のうち少なくとも１つを前記判断に基づき変更することを伴う、請求項１３に記載の方法。
【請求項１５】
前記特定の技術は、前記再選択が条件に基づき生じさせられるか制御する少なくとも１つのパラメータを調整することを伴う、請求項１３に記載の方法。
【請求項１６】
前記特定の技術は、前記第２セルにより利用される前記第２周波数を非再選択リストに加えることを伴う、請求項１３に記載の方法。
【請求項１７】
前記特定の技術の効果を逆にする段階をさらに備える、請求項１３に記載の方法。
【請求項１８】
前記再選択は、前記モバイル通信デバイスまたは前記ネットワークのうち少なくとも１つにより生じさせられる、請求項１に記載の方法。
【請求項１９】
モバイル通信デバイスを備え、
前記モバイル通信デバイスは、
ネットワークの、第１優先度をもつ第１周波数を利用する第１セルによりサービス提供されている間の前記モバイル通信デバイスに関連する情報を特定すること、
前記情報が１または複数の基準を満たすか判断すること、および
前記判断に基づき、前記モバイル通信デバイスに関して、前記ネットワークの、第２優先度をもつ第２周波数を利用する第２セルに関連する再選択を条件に基づき生じさせること
のために構成された少なくとも１つのハードウェアプロセッサを有する、装置。
【請求項２０】
非一時的コンピュータ可読媒体に格納されたコンピュータ実行可能命令を備えるコンピュータプログラムプロダクトであって、
前記コンピュータ実行可能命令はプロセッサにより実行された場合に前記プロセッサに、
ネットワークの、第１優先度をもつ第１周波数を利用する第１セルで動作しているモバイル通信デバイスに関連する情報を特定することと、
前記情報が１または複数の基準を満たすか判断することと、
前記判断に基づき、前記モバイル通信デバイスに関して、前記ネットワークの、第２優先度をもつ第２周波数を利用する第２セルに関連する再選択を条件に基づき生じさせることと
を指示する、コンピュータプログラムプロダクト。
【発明の詳細な説明】
【技術分野】
【０００１】
［相互参照］
本願は、２０１６年６月６日に提出された発明の名称が「ＡＰＰＡＲＡＴＵＳ，ＣＯＭＰＵＴＥＲ  ＰＲＯＧＲＡＭ，ＡＮＤ  ＭＥＴＨＯＤ  ＦＯＲ  ＣＲＩＴＥＲＩＡ−ＢＡＳＥＤ  ＣＯＮＤＩＴＩＯＮＡＬ  ＣＥＬＬ  ＲＥＳＥＬＥＣＴＩＯＮ」である米国特許出願第１５／１７４，８９０号に基づく優先権を主張する。同米国特許出願は、その全体が再現されているかのように参照により本明細書に組み込まれる。
【０００２】
本願発明はネットワーク化に関し、より具体的にはネットワークにおける再選択に関する。
【背景技術】
【０００３】
４Ｇ／ＬＴＥ／ＬＴＥ−Ａセルラーネットワーク等のネットワークにおいて、モバイル通信デバイスは、音声通話またはデータ通信（例えば、アップリンク、ダウンリンク等）が必要となったときにアイドルモード状態から接続モード状態に切り替わる。そのようなデータ通信が完了した後、それからモバイル通信デバイスは、接続モード状態からアイドルモード状態へ戻るよう切り替わる。典型的には、移動していないモバイル通信デバイスのサービングセルは、アイドルモード状態から接続モード状態への何らかの切り替わりの結果、変わらない。
【０００４】
しかしながら、移動していないモバイル通信デバイスが複数のセルによりカバーされるエリアに位置するときの特定の状況で、モバイル通信デバイスは、データ接続または音声通話のために、（例えば、周波数の優先度がより高く、受信信号電力／品質がより低い）第１セルから、（例えば、周波数の優先度がより低く、受信信号電力／品質がより高い）第２セルへハンドオーバを実施する。通話が終わると、またはデータ通信が完了すると、モバイル通信デバイスは、第２セルから第１セルへ戻るようセルの再選択を実施する。特定の状況下で、セル間でのこの「ピンポン」再選択／ハンドオーバのループは、過度な回数繰り返される可能性がある。
【０００５】
具体的には、モバイル通信デバイスが利用する、断続的なデータ通信を必要とするアプリケーション（例えば、Ｅメール、ウェブブラウザ、インスタントメッセージアプリケーション、ソーシャルネットワーキングアプリケーション等）が増えれば増える程、モバイル通信デバイスがアイドルモード状態と接続モード状態との間で切り替わる（そして、関連するハンドオーバ／再選択が生じさせられる）頻度は急激に増える。さらに、ハンドオーバを開始するために、多様なセル測定、報告、およびコマンドが必要とされる。その一方で、再選択もセル測定を必要とする。この目的で、モバイル通信デバイスはハンドオーバ／再選択を介してセルを繰り返し切り替える必要があるので、ネットワークオーバーヘッド、モバイル通信デバイス電力消費等が過度に負担となり得る。そしてこのことは結果として、ネットワーク側ではサービス品質低下を、モバイル通信デバイス側では限られたバッテリ寿命を招き得る。
【発明の概要】
【０００６】
基準ベースの条件に基づくセル再選択のために装置、コンピュータプログラム、および方法が提供される。オペレーションにおいて、ネットワークの、第１優先度をもつ第１周波数を利用する第１セルによりサービス提供されているモバイル通信デバイスに関連する情報が特定される。それから、その情報が１または複数の基準を満たすかについて判断がなされる。そのような判断に基づき、モバイル通信デバイスに関して、ネットワークの、第２優先度をもつ第２周波数を利用する第２セルに関連する再選択が条件に基づき生じさせられる。
【０００７】
第１実施形態において、情報は、モバイル通信デバイスの速度と関連してよい。さらに、１または複数の基準は、速度関連閾値を伴ってよく、判断は、情報が速度関連閾値を超えるか判断してよい。
【０００８】
（第１実施形態と組み合わされてもよく、または組み合わされなくてもよい）第２実施形態において、情報は、基準信号受信電力（ＲＳＲＰ）または基準信号受信品質（ＲＳＲＱ）のうち少なくとも１つと関連してよい。さらに、ＲＳＲＰまたはＲＳＲＱのうち少なくとも１つと関連する情報は、ネットワークの第１セルおよび／またはネットワークの第２セルに関連してよい。またさらに、１または複数の基準は、設定可能な閾値を伴ってよく、判断は、情報が設定可能な閾値をクロスするか判断してよい。そしてまたさらに、１または複数の基準はＲＳＲＰ閾値またはＲＳＲＱ閾値のうち少なくとも１つを伴ってよく、判断は、情報がＲＳＲＰ閾値またはＲＳＲＱ閾値のうち少なくとも１つをクロスするか判断してよい。またその上さらに、判断は、ネットワークの第１セルに関連するＲＳＲＰまたはＲＳＲＱのうち少なくとも１つと、ネットワークの第２セルに関連するＲＳＲＰまたはＲＳＲＱのうち少なくとも１つとの比較を伴ってよい。また、１または複数の基準は閾値を伴ってよく、判断は、情報が最小時間量の間、閾値をクロスするか判断してよい。本実施形態の異なる態様において、１または複数の基準はモバイル通信デバイスおよび／またはネットワークにより設定されてよい。
【０００９】
（第１実施形態および／または第２実施形態と組み合わされてもよく、または組み合わされなくてもよい）第３実施形態において、再選択は、特定の技術を利用して条件に基づき生じさせられてよい。例えば、特定の技術は、第１周波数の第１優先度または第２周波数の第２優先度のうち少なくとも１つを判断に基づき変更することを伴ってよい。さらに、特定の技術は、再選択が条件に基づき生じさせられるか制御する少なくとも１つのパラメータを調整することを伴ってよい。またさらに、特定の技術は、第２セルにより利用される第２周波数を非再選択リストに加えることを伴ってよい。オプションとして、特定の技術の効果は逆にされてもよい。さらに、再選択は、モバイル通信デバイスまたはネットワークのうち少なくとも１つにより生じさせられてよい。
【００１０】
この目的で、一部のオプションとしての実施形態において、先述の装置、コンピュータプログラム、および／または方法の先述の特徴のうち１または複数は、（ネットワークのシグナリングオーバーヘッドの形態の）ネットワーク側の、および／または（バッテリ電力の形態の）モバイル通信デバイス側のリソースを節約し得る。具体的には、このことは、単にモバイル通信デバイスが接続モード状態からアイドルモード状態に切り替わる度にセルの優先度のみに基づいて再選択を進める代わりに、より選択に基づいた再選択が生じさせられるかを指示する、優先度に関してアグノスティックな／品質中心的なロジックを利用して達成され得る。この目的で、他の場合においてはセルの再選択を実現するのに必要とされる典型的には必要なセル測定、報告、およびコマンドを避けることにより、先述のリソースを節約する。先述の潜在的な利点は、例示のみを目的として明らかにされており、如何様にも限定するものとして解釈されるべきではないことに留意すべきである。
【図面の簡単な説明】
【００１１】
【図１Ａ】一実施形態に係る、ネットワーク上のモバイル通信デバイスに関連する、複数のセルからの基準ベースの条件に基づくセル再選択のためのシステムを図示している。
【００１２】
【図１Ｂ】一実施形態に係る、ネットワーク上のモバイル通信デバイスに関連する、基準ベースの条件に基づくセル再選択のための方法を図示している。
【００１３】
【図２】他の実施形態に係る、第１の特定の技術を利用する優先度のより高い周波数のセルの基準ベースの条件に基づくセル再選択のための方法を図示している。
【００１４】
【図３】さらに他の実施形態に係る、図２の段階２３０により再選択回避基準が満たされたか判断するための方法を図示している。
【００１５】
【図４】さらに他の実施形態に係る、第２の特定の技術を利用する優先度のより高い周波数のセルの基準ベースの条件に基づくセル再選択のための方法を図示している。
【００１６】
【図５】さらに他の実施形態に係る、第３の特定の技術を利用する優先度のより高い周波数のセルの基準ベースの条件に基づくセル再選択のための方法を図示している。
【００１７】
【図６Ａ】さらに他の実施形態に係る、第１の特定の技術を利用する基準ベースの条件に基づくセル再選択のための方法を図示している。
【００１８】
【図６Ｂ】またさらに他の実施形態に係る、第２の特定の技術を利用する基準ベースの条件に基づくセル再選択のための方法を図示している。
【００１９】
【図６Ｃ】そしてまたさらに他の実施形態に係る、第３の特定の技術を利用する基準ベースの条件に基づくセル再選択のための方法を図示している。
【００２０】
【図６Ｄ】一実施形態に係る、本明細書で開示されている特定の技術のうち何れかを実施する結果として生じ得るモバイル通信デバイス上の潜在的な電力／シグナリング節約を示すプロットを図示している。
【００２１】
【図７】一実施形態に係るネットワークアーキテクチャを図示している。
【００２２】
【図８】一実施形態に係る例示的なシステムを図示している。
【発明を実施するための形態】
【００２３】
図１Ａは、一実施形態に係る、ネットワーク４０上のモバイル通信デバイス３０に関連する、複数のセル２０Ａ、２０Ｂのからの基準ベースの条件に基づくセル再選択のためのシステム５を図示している。示されているように、複数のセル２０Ａ、２０Ｂは、ネットワーク４０のコンポーネントであり、そしてネットワーク４０は、モバイル通信デバイス３０にサービス提供することが可能である。
【００２４】
様々な実施形態において、ネットワーク４０は、種々の周波数を利用する種々のセル（例えば、セル２０Ａ、２０Ｂ等）によりモバイル通信デバイス３０がサービス提供されることが可能な任意のネットワークを含み得る。例えば、そのようなネットワークは、４Ｇ／ＬＴＥ／ＬＴＥ−Ａｄｖａｎｃｅｄネットワーク、および／またはそれらの任意の他の進歩／変形を含み得る。さらに、先述のセル２０Ａ、２０Ｂの非限定的な例は、ノードＢ、基地局（ＢＳ）、マルチ規格無線（ＭＳＲ）ＢＳ等のＭＳＲ無線ノード、ｅＮｏｄｅ  Ｂ、ネットワークコントローラ、無線ネットワークコントローラ（ＲＮＣ）、基地局コントローラ（ＢＳＣ）、中継局、ドナーノード制御中継局、ベーストランシーバ局（ＢＴＳ）、アクセスポイント（ＡＰ）、伝送ポイント、伝送ノード、リモート無線装置（ＲＲＵ）、リモート無線ヘッド（ＲＲＨ）、分散アンテナシステム（ＤＡＳ）内のノード、および／または、ネットワーク４０でモバイル通信デバイス３０と通信を行うよう構成された任意の他のセルを含み得る。
【００２５】
しかしながら、他の無線アクセス技術（ＲＡＴ）ネットワーク（例えば、ＢＬＵＥＴＯＯＴＨ（登録商標）、ＷｉＦｉ等）の使用も考えられることに留意すべきである。さらに、モバイル通信デバイス３０（または単に「モバイルデバイス」）は、様々な実施形態において、電話、タブレット、ラップトップ、車両、任意の所望されるタイプのユーザ機器（ＵＥ）、および／または、先述のネットワーク４０またはそのようなことに関する任意の他のタイプのネットワークで通信を行うことが可能な任意の他のタイプのデバイスを含み得る。
【００２６】
図１Ｂは、一実施形態に係る、ネットワーク上のモバイル通信デバイスに関連する、基準ベースの条件に基づくセル再選択のための方法１００を図示している。オプションとして、方法１００は、任意の前の、および／または後の図面および／またはそれらの説明で明らかにされている実施形態のうち任意の１または複数の実施形態の任意の特徴により実施され得る。例えば、方法１００は一実施形態において、図１Ａのシステム５の状況で実施され得る。しかしながら、方法１００が任意の所望される環境の状況で実施され得ることが理解されるであろう。
【００２７】
段階１０２において、ネットワークの、第１優先度をもつ第１周波数を利用する第１セルによりサービス提供されているモバイル通信デバイスに関連する情報が特定される。そのような情報は、再選択を行うかの決定の基となり得る任意のデータを含み得る。例えば、より詳細に後に説明されることになる様々な実施形態において、その情報は、モバイル通信デバイスの速度、基準信号受信電力（ＲＳＲＰ）、および／または基準信号受信品質（ＲＳＲＱ）と関連してよい。そのようなＲＳＲＰおよびＲＳＲＱは、第１セルまたは第２セルと関連してよい。先述の情報は、先述のデータを明確に含んでいてよく、および／または（例えば、追加の処理を介すること等により）そこから導き出されてよい／推測されてよいことにも留意すべきである。
【００２８】
さらに、その情報は、モバイル通信デバイスを直接のソースとするものであってよく、ネットワークからモバイル通信デバイスにより受信されてよく、および／またはその使用を可能とする任意の他の所望される方式で特定されてよい。例えば一実施形態において、速度は、モバイル通信デバイスのグローバルポジショニングシステム（ＧＰＳ）または加速度計を利用して、および／またはネットワーク側で三角測量または他の位置／速度特定技術を用いて特定されてよい。またさらに、ＲＳＲＰおよび／またはＲＳＲＱは、規格に基づく通信プロトコル（例えば、４Ｇ／ＬＴＥ／ＬＴＥ−Ａｄｖａｎｃｅｄネットワークおよび／またはそれらの任意の他の進歩／変形等）に従って、（例えば、電力／品質検出器を用いること等により）モバイル通信デバイスにより生成されモバイル通信デバイスと１または複数のセルとの間で通信される定期的な測定報告に含められてよい。
【００２９】
本説明の文脈において、先述のＲＳＲＰは、チャネル帯域幅に亘る基準信号の平均（例えば、線形平均等）である。さらに、ＲＳＲＱは基準信号の品質を示す。例えば一実施形態において、ＲＳＲＱは、先述のＲＳＲＰと、モバイル通信デバイスによる受信広帯域電力を表す受信信号強度インジケータ（ＲＳＳＩ）とに基づいてよい。以下の数式＃１は、ＲＳＲＱを計算するのに用いられ得るサンプルの計算を示す。ここでＮは、リソースブロック数を表す。ＲＳＲＰおよび／またはＲＳＲＱの計算は、関連する基準の要求に応じてこれに沿わなくてよいことが考えられる。
【００３０】
数式＃１
【数１】
2019521589.tif 000003
【００３１】
段階１０４に示されているように、それから、情報が１または複数の基準を満たすか判断される。様々な実施形態において、そのような判断は、モバイル通信デバイス、ネットワーク、および／またはそのようなことに関する任意の他のエンティティにより行われてよい。さらに本説明の文脈において、１または複数の基準は、閾値、ルール、ロジック、および／または、再選択の決定の基となる目的で情報に適用することが可能である任意の他のものを含んでよい。種々の実施形態において、基準は、モバイル通信デバイス、ネットワーク、および／または、そのようなことに関する任意の他のエンティティにより設定されてよい。
【００３２】
例えば、情報がモバイル通信デバイスの速度と関連する一実施形態において、その基準は速度関連閾値を伴っていてよく、その判断は、モバイル通信デバイスの情報（例えば、速度等）が速度関連閾値を超えるか判断してよい。そのような実施形態において、速度関連閾値は任意の所定の速さ（ゼロの速さを含む）を含んでよい。したがって、一実施形態において、速度関連閾値は、モバイル通信デバイスが移動していないか、またはほぼ移動していないかテストするのに用いられてよい。
【００３３】
さらに、情報がＲＳＲＰおよび／またはＲＳＲＱと関連する他の実施形態において、基準は、ＲＳＲＰ閾値および／またはＲＳＲＱ閾値をそれぞれ伴ってよく、判断は、情報（例えば、ＲＳＲＰ、ＲＳＲＱ等）がＲＳＲＰ閾値および／またはＲＳＲＱ閾値をそれぞれクロスするか判断するものであってよい。先述したように、そのようなＲＳＲＰおよびＲＳＲＱは、第１セルまたは第２セルのいずれかと関連してよい。さらに他の関連する実施形態において、基準は、設定可能な閾値を伴ってよく、判断は、情報が設定可能な閾値をクロスするか判断するものであってよい。上記の基準（および／または、本明細書で開示されている任意の他の基準）のうち何れも、様々なやり方で所望されるように組み合わされて、または組み合わされなくてよく、例えば、基準は、ＲＳＲＰ／ＲＳＲＱ間の差が設定可能な閾値をクロスするかの判断を伴っていたとしてもよいことに留意すべきである。具体的な基準の様々な可能な組み合わせに関する更なる情報が、後の図面の説明の中で以下に明らかとなるであろう。
【００３４】
種々の実施形態において、先述の閾値は、モバイル通信デバイス、ネットワーク、および／またはそのようなことに関する任意の他のエンティティにより設定されてよい。またさらに、先述の実施形態のうち何れかにおいて、基準は、時間に応じて変化するよう構成されてよい。ある事例として、判断は、情報が、最小時間量の間、特定の閾値をクロスするか判断するものであってよい。
【００３５】
この目的で、段階１０６において、段階１０４の判断に基づき、モバイル通信デバイスに関して、ネットワークの、第２優先度をもつ第２周波数を利用する第２セルに関連する再選択が条件に基づき生じさせられる。本説明の文脈において、第１優先度および第２優先度とは、オペレーション中にどの周波数が利用されるかを指示する、第１周波数および第２周波数とそれぞれ関連する任意の優先度の決定を指してよい。例えば、１つのオプションとしての実施形態において、優先度は、再選択をサポートするために、任意の所望される技術を用いてネットワークサービスプロバイダにより割り当てられてよい。さらに、そのような優先度は、再選択中に用いられるようにモバイル通信デバイスへ通信されてよい。
【００３６】
また本説明の文脈において、再選択とは、モバイル通信デバイスが（データ転送が接続モード状態より少ない任意の状態を含む）アイドルモード状態にある間に、第１セルと第２セルとの間でモバイル通信デバイスが切り替えを行う任意の処理を指してよい。さらに様々な実施形態において、再選択は、モバイル通信デバイス（例えば、その内部の構成されたプロトコルロジックをもつモデムを介すること等によって）、ネットワーク、またはそれら２つのものが様々な方式で共に動作することにより生じさせられてよい。例えば一実施形態において、再選択は、１）ネットワークからの、システム情報ブロック（ＳＩＢ）でブロードキャストされるパラメータに基づく、および２）モバイル通信デバイスからの、サービス提供している／近隣のセルの測定結果に基づく再選択基準に従って、モバイル通信デバイスにより自律的に生じさせられてよい。再選択が繰り返しで生じさせられる実施形態の状況で、上述した条件に基づく引き起こしの結果として、再選択のうち１または複数が避けられることになってよいことにも留意すべきである。
【００３７】
様々な実施形態において、再選択は、任意の１または複数の特定の技術を利用して条件に基づき生じさせられてよい。例えば一実施形態において、特定の技術は、ネットワークのセルの第１周波数の優先度、および／またはネットワークのセルの第２周波数の優先度を判断に基づき変更することを伴ってよい。他の実施形態において特定の技術は、再選択が条件に基づき生じさせられるかを制御する少なくとも１つのパラメータを調整することを伴ってよい。さらに他の実施形態において、特定の技術は、判断に基づきある周波数を非再選択リストに加えることを伴ってよい。例えば、様々な可能な実施形態において、セルの第１周波数および／またはセルの第２周波数が非再選択リストに加えられてよい。
【００３８】
先述の方法がユーザの希望により実施されてよく、またはされなくてもよい様々なオプションであるアーキテクチャおよび使用に関して、更なる例示的な情報がここで明らかにされる。例えば一実施形態において、関連する特定の技術の効果は、モバイル通信デバイスの速度および／または任意の他の定められている条件／基準に基づき逆にされてよい。次の情報は、例示を目的として明らかにされており、如何様にも限定するものとして解釈されるべきではないことに留意すべきである。次の特徴のうち何れもオプションで、説明されている他の特徴を排除し、または排除せずに組み込まれてよい。
【００３９】
図２は、他の実施形態に係る、第１の特定の技術を利用する優先度のより高い周波数のセルの基準ベースの条件に基づくセル再選択のための方法２００を図示している。オプションとして、方法２００は、任意の前の、および／または後の図面および／またはそれらの説明で明らかにされている実施形態のうち任意の１または複数の実施形態の任意の特徴により実施され得る。しかしながら、方法２００が任意の所望される環境の状況で実施され得ることが理解されるであろう。
【００４０】
段階２０１に示されているように、方法２００は、第１優先度が割り当てられた第１周波数で動作している第１セルによりサービス提供されているモバイル通信デバイスがアイドルモード状態にあることから始まる。（データを送信および／または受信する必要性の結果生じてよい）モバイル通信デバイスにより開始される接続要求に応答して、モバイル通信デバイスが接続モード状態に切り替わり、第１周波数の第１セルによりサービス提供され続ける。段階２０２を参照のこと。
【００４１】
段階２０４においてセル測定が実施される。そのようなセル測定は、１または複数の他のセルからの基準信号の受信、およびＲＳＲＰおよび／またはＲＳＲＱ情報の形態の測定情報の生成を伴う。さらに、そのような測定情報はそれから、適切な制御シグナリングプロトコルの機能である決定２０６に基づき段階２０８で報告される。
【００４２】
方法２００はそれから続いて、決定２１０において、ネットワークにより送信されたハンドオーバコマンドを待つ。そのようなハンドオーバコマンドは、他にもある要素のうち、段階２０８で以前に報告された測定情報に応じて発行されてよい。ハンドオーバコマンドを受信すると、第２優先度が割り当てられた、しかしより高い信号電力／品質をもつ第２周波数で動作する第２セルへのハンドオーバが実行される。段階２１４を参照のこと。
【００４３】
その結果、モバイル通信デバイスはそれから、段階２１４により示されるように第２セルによりサービス提供される接続モード状態となる。さらに、必要に応じて任意のデータが通信されてよい。データ通信が終わったとき、接続リリースコマンドがモバイル通信デバイスにより発せられ、その結果モバイル通信デバイスは、アイドルモード状態に入るが、依然として第２セルによりサービス提供されている。段階２１６を参照のこと。
【００４４】
段階２１６におけるアイドルモード状態の開始はそれから、段階２０４におけるものと同様のセル測定を実施することによる、段階２１８における再選択手順の開始を生じさせる。しかしながら、報告を送信する代わりに、任意の隣接するものが再選択基準を満たすかモバイル通信デバイス自体が判断する。決定２２０を参照のこと。一実施形態においてそのような再選択基準は、より高い優先度が割り当てられ、したがって、アイドルモード状態にある間のモバイル通信デバイスへのサービス提供に適している他のターゲットセル（例えば、第１セル、または何らかの他の同様のセル等）の特定を伴ってよい。
【００４５】
単にターゲットセルを再選択する代わりに、特定の状況下で再選択を避けるべく特定の技術２２２が実行される。具体的には、段階２２４において情報が特定される。そのような情報は、再選択回避が保証されるか評価するためのモバイル通信デバイスの速度、ＲＳＲＰ／ＲＳＲＱ情報、（より詳細に以下に説明されることになる）様々な基準等を含んでよい。
【００４６】
次に、決定２２６で特定された速度がある特定の値より低いかが判断される。具体的には、決定２２６は、モバイル通信デバイスが移動していないか、または再選択を避けることを可能とするのに十分遅い速度で移動しているか判断するものである。速度が特定の値より低くない場合、段階２２８によりターゲットセルの再選択が実行される。
【００４７】
モバイル通信デバイスは移動していない、または十分遅い速度で移動していると判断された場合、決定２３０において、第１セル（つまり、現在のサービングセル）のＲＳＲＰ／ＲＳＲＱ情報が設定可能な値と比較してどうであるかの検証がなされる。そのような比較の性質は、現在のサービングセルが潜在的なターゲットセルより高い優先度を有しているかに基づき異なる。具体的には、現在のサービングセルが潜在的なターゲットセルより高い優先度を有する場合、比較は、サービングセルのＲＳＲＰ／ＲＳＲＱが設定可能な値より悪く、ある期間の間再選択ターゲットセルのＲＳＲＰ／ＲＳＲＱの閾値より悪いかの判断を伴う。他方、現在のサービングセルが潜在的なターゲットセルより低い優先度を有する場合、比較は、ある期間の間、そのＲＳＲＰ／ＲＳＲＱ情報が、優先度のより高い周波数上の再選択ターゲットセルのＲＳＲＰ／ＲＳＲＱの閾値より良好であるか、および、ある期間の間、潜在的なターゲットセルのＲＳＲＰ／ＲＳＲＱ情報が設定可能な値より悪いかの判断を伴う。
【００４８】
この目的で、決定２３０は、現在のサービングセルの相対的なサービス品質に関して、潜在的なターゲットセルと比較しての、優先度に関してアグノスティックな理解を得ることを可能とする。この設計により、再選択（およびその後に続くハンドオーバ等）が特定の状況で避けられ得る。決定２３０に関する更なる情報は、図３の説明の中で明らかとなるであろう。
【００４９】
引き続き図２を参照すると、決定２２６および決定２３０の両方の決定が肯定的である場合、周波数の優先度を下げる処理が開始される。段階２３２を参照のこと。この結果として、優先度のより高い周波数の優先度が優先度の低い周波数と同じ優先度レベルまで下げられることになる。この目的で、ターゲットのサービングセルは、現在のサービングセルと比較してより高い優先度を有さないので再選択が避けられる。
【００５０】
示されているように、方法２００は、モバイル通信デバイスが閾値速度を呈するとき、および／または上記に明らかにされている信号品質基準を満たさないとき再選択（およびその後に続くハンドオーバ）が再びその後に起こり得るように継続的に決定２２６、２３０を再チェックするようループする。そのようなことが生じた場合、先述の優先度を下げることは、ターゲットセルの通常の再選択が生じ得るようクリアされ得る（および第１の特定の技術の影響が逆にされ得る）。しかしながら、そのようなことが起こるまで、モバイル通信デバイスによる任意の接続要求の結果として、モバイル通信デバイスが現在のサービングセルによりサービス提供されるままでいる間、アイドルモード状態と接続モード状態との間で切り替わりが起こることとなる（再び段階２１４〜２１６を参照）。
【００５１】
図３は、さらに他の実施形態に係る、図２の段階２３０により再選択回避基準が満たされるか判断するための方法３００を図示している。示されているように、段階３０２において、現在のサービングセル（例えば、図３の段階３１４−３１６で参照されているセル等）に関してＲＳＲＰ／ＲＳＲＱ情報が検出され、後に続く判断中に用いられる。さらに、現在のサービングセルおよびその周波数が潜在的なターゲットセルと比較してより高い優先度を有しているか判断される。決定３０４を参照のこと。決定３０４に基づき、それから複数の他の判断がなされる。
【００５２】
具体的には、現在のサービングセルおよびその周波数が潜在的なターゲットセルより高い優先度を有すると判断された場合、まず決定３０６において、現在のサービングセルのＲＳＲＰ／ＲＳＲＱ情報が設定可能な値より悪いかが判断される。そのような値は、特定の再選択回避技術が開始される感度を制御するために、モバイル通信デバイス、ネットワーク、および／または任意の他のエンティティにより設定可能であってよい。さらにそれから、決定３０８において、現在のサービングセルのＲＳＲＰ／ＲＳＲＱ情報が潜在的なターゲットセルのＲＳＲＰ／ＲＳＲＱ情報より悪いか（例えば、所定の閾値等により）判断される。決定３０６および３０８の両方の決定が肯定である場合、再選択回避に関して必要な基準が満たされたと判断される。段階３１０を参照のこと。そうでない場合、段階３１２において、ターゲットセルの再選択が実施される。
【００５３】
他方、現在のサービングセルおよびその周波数が潜在的なターゲットセルより低い優先度を有していると判断された場合、まず決定３１４において、現在のサービングセルのＲＳＲＰ／ＲＳＲＱ情報が潜在的なターゲットセルのＲＳＲＰ／ＲＳＲＱ情報より良好であるか（例えば、所定の閾値等により）判断される。さらにそれから、決定３１６において、潜在的なターゲットセルのＲＳＲＰ／ＲＳＲＱ情報が設定可能な値より悪いか判断される。ここでも、そのような値は、特定の再選択回避技術が開始される感度を制御するために、モバイル通信デバイス、ネットワーク、および／または任意の他のエンティティにより設定可能であってよい。さらに、決定３１４および３１６の両方の決定が肯定である場合、再選択回避に関して必要な基準が満たされたと判断される。段階３２０を参照のこと。そうでない場合、段階３２２において、ターゲットセルの再選択が実施される。
【００５４】
示されていないが、決定３０６、３０８、３１４および３１６のうち一部または全てが、関連する基準が所定の時間量の間満たされているか判断するものであってもよい。そうでない場合、関連する各決定３０６、３０８、３１４および３１６の結果が否定的な結果となり得、（段階３１２、３２２において）結果的に（再選択回避を生じさせる）最終的な基準が満たされないことになる。
【００５５】
この設計により、先述のロジックは、単にモバイル通信デバイスが接続モード状態からアイドルモード状態に切り替わる度にセルの優先度のみに基づいて再選択を進める代わりに、再選択が生じさせられるかを指示する、優先度に関してアグノスティックな／品質中心的なロジックを可能とする。さらに、そのような状況で再選択を避けることにより、その後に続くハンドオーバも、接続モード状態からアイドルモード状態に戻るようモバイル通信デバイスが切り替わったときに避けられる。したがって、他の場合においてはそのような不必要な再選択およびハンドオーバを実現するのに必要とされるセル測定、報告、およびコマンドを避け得、（ネットワークシグナリングオーバーヘッドの形態の）ネットワーク側のリソース、および（バッテリ電力の形態の）モバイル通信デバイス側のリソースを節約し得る。
【００５６】
図４は、さらに他の実施形態に係る、第２の特定の技術を利用する優先度のより高い周波数のセルの基準ベースの条件に基づくセル再選択のための方法４００を図示している。図２の方法２００と同様に、方法４００は、任意の前の、および／または後の図面および／またはそれらの説明で明らかにされている実施形態のうち任意の１または複数の実施形態の任意の特徴により実施され得る。しかしながら、方法４００が任意の所望される環境の状況で実施され得ることが理解されるであろう。
【００５７】
図２の方法２００と同様に、方法４００は、段階２０１、２０２、２０４、２０６、２０８、２１０、２１２、２１４、２１６、２１８、２２０、２２４、２２６、２２８および２３０との相関性をそれぞれ有する（したがって、参照によりここに組み込まれる）複数の段階４０１、４０２、４０４、４０６、４０８、４１０、４１２、４１４、４１６、４１８、４２０、４２４、４２６、４２８、および４３０を含む。しかしながら、段階４３２に示されているように方法４００は、段階４２８の再選択を避けるのに異なる特定の技術を利用する。
【００５８】
具体的には、段階４３２に示されているように、そのような処理が再選択を避けるようにバイアスをかけるよう追加の設定可能なパラメータが、再選択処理中に利用され得る。このことは、再選択回避処理がトリガされにくくなるよう関連する閾値および／または時間に関する要件を高くする、または低くすることを伴ってよい。様々な実施形態において、そのようなパラメータは、モバイル通信デバイスにより、および／またはネットワークにより設定されてよく、それからモバイル通信デバイスに通信されてよい。さらに、そのようなパラメータは、図２の段階２３０中に、および図３の決定３１４および３１６の間に用いられるもののうち何れか、または全てを含んでよい。そのようなパラメータにバイアスをかけることにより、再選択が生じにくくなる。この目的で、これらパラメータは、デバイスが優先度を無視することを決定する二分決定を組み込むこととは反対に再選択手順における優先度の使用を実質的に「弱め」、したがって、そのような「弱める」度合いをネットワークサービスプロバイダの制御下に置く。
【００５９】
例として、Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）を伴う一実施形態において、新たに定められるパラメータを含む新たな情報要素が定められよく、その新たな情報要素が、３ＧＰＰの仕様で指定されているように、基地局がブロードキャストするシステム情報のタイプの１つであるＩＥ  ＳｙｓｔｅｍＩｎｆｏｒｍａｔｉｏｎＢｌｏｃｋＴｙｐｅ５に加えられてよい。ＩＥ  ＳｙｓｔｅｍＩｎｆｏｒｍａｔｉｏｎＢｌｏｃｋＴｙｐｅ５は、周波数間セル再選択に関連する情報（つまり、セル再選択に関連する他のＥ−ＵＴＲＡ周波数および周波数間隣接セルについての情報）を含む。ＩＥは、周波数について共通しているセル再選択パラメータおよびセル固有の再選択パラメータを含む。他の実施形態において、新たな情報要素はｅＮｏｄｅＢＲＲＣＣｏｎｎｅｃｔｉｏｎＲｅｌｅａｓｅｍｅｓｓａｇｅに加えられてよい。したがって、モバイル通信デバイスが、ｅＮｏｄｅＢｂｒｏａｄｃａｓｔｓまたはＲＲＣＣｏｎｎｅｃｔｉｏｎＲｅｌｅａｓｅｍｅｓｓａｇｅを介して、新たに定められるパラメータのバイアスがかけられた値を受信出来る。
【００６０】
示されているように、方法４００は、モバイル通信デバイスが閾値速度を呈するとき、および／または上記に明らかにされている信号品質基準を満たさないとき再選択（およびその後に続くハンドオーバ）が再びその後に起こり得るように継続的に決定４２６、４３０を再チェックするようループする。そのようなことが生じた場合、パラメータの先述のバイアスは、ターゲットセルへの通常の再選択が生じ得るよう元に戻されるか、または単に用いられなくなるものとしてよい（および、第２の特定の技術の影響が逆にされてよい）。しかしながら、そのようなことが起こるまで、モバイル通信デバイスによる任意の接続要求の結果として、モバイル通信デバイスが現在のサービングセルによりサービス提供されるままでいる間、アイドルモード状態と接続状態との間で切り替わりが起こることとなる（段階４１４〜４１６を参照）。
【００６１】
図５は、さらに他の実施形態に係る、第３の特定の技術を利用する優先度のより高い周波数のセルの基準ベースの条件に基づくセル再選択のための方法５００を図示している。図２／３の方法２００／３００と同様に、方法５００は、任意の前の、および／または後の図面および／またはそれらの説明で明らかにされている実施形態のうち任意の１または複数の実施形態の任意の特徴により実施され得る。しかしながら、方法５００が任意の所望される環境の状況で実施され得ることが理解されるであろう。
【００６２】
図２の方法２００と同様に、方法５００は、段階２０１、２０２、２０４、２０６、２０８、２１０、２１２、２１４、２１６、２１８、２２０、２２４、２２６、２２８および２４０との相関性をそれぞれ有する（したがって、参照によりここに組み込まれる）複数の段階５０１、５０２、５０４、５０６、５０８、５１０、５１２、５１４、５１６、５１８、５２０、５２４、５２６、５２８および５３０を含む。しかしながら、段階５３２に示されているように方法５００は、段階５２８の再選択を避けるのに異なる特定の技術を利用する。
【００６３】
特に、段階５３２に示されているように、ターゲットセルの周波数が、そのようなセルの再選択を防ぐよう非再選択リストに加えられてよい。したがってそのようなものはブラックリストとして機能し得、それにより、完全に再選択を防いでよい。上記の実施形態と同様に、本技術は、ネットワークまたはモバイル通信デバイスにより管理されてよい。
【００６４】
示されているように、方法５００は、モバイル通信デバイスが閾値速度を呈するとき、および／または上記に明らかにされている信号品質基準を満たさないとき再選択（およびその後に続くハンドオーバ）が再びその後に起こり得るように継続的に決定５２６、５３０を再チェックするようループする。そのようなことが生じた場合、先述のターゲットセルの周波数は、ターゲットセルへの通常の再選択が生じ得るよう非再選択リストから取り除かれるものとしてよい（および、第３の特定の技術の影響が逆にされてよい）。しかしながら、そのようなことが起こるまで、モバイル通信デバイスによる任意の接続要求の結果として、モバイル通信デバイスが現在のサービングセルによりサービス提供されるままでいる間、アイドルモード状態と接続状態との間で切り替わりが起こることとなる（段階５１４〜５１６を参照）。
【００６５】
図６Ａは、さらに他の実施形態に係る、第１の特定の技術を利用する基準ベースの条件に基づくセル再選択のための方法６００Ａを図示している。オプションとして、方法６００Ａは、任意の前の、および／または後の図面および／またはそれらの説明で明らかにされている実施形態のうち任意の１または複数の実施形態の任意の特徴により実施され得る。しかしながら、方法６００Ａが任意の所望される環境の状況で実施され得ることが理解されるであろう。
【００６６】
段階６０２Ａに示されているように、方法６００Ａは、第１優先度が割り当てられた第１周波数で動作している第１セルによりサービス提供されているモバイル通信デバイスがアイドルモード状態にあることから始まる。次に、段階６０４Ａにおいてセル測定が実施される。そのようなセル測定は、１または複数の他のセルからの基準信号の受信、およびＲＳＲＰおよび／またはＲＳＲＱ情報の形態の測定情報の生成を伴う。
【００６７】
引き続き図６Ａを参照すると、任意の隣接セルが再選択基準を満たすかをモバイル通信デバイスが判断する。決定６０６Ａを参照のこと。一実施形態においてそのような再選択基準は、異なる優先度が割り当てられた他のターゲットセル（例えば、第１セル、または何らかの他の同様のセル等）の特定を伴ってよい。その後、方法６００Ａは再選択回避処理６０７Ａを開始する。
【００６８】
具体的には、現在のサービングセルの周波数の優先度が潜在的なターゲットセルの周波数の優先度より低いか判断される。決定６０８Ａを参照のこと。そうである場合、それから、段階６１０Ａにおいて特定される情報に基づき複数の他の判断がなされる。そのような情報は、再選択回避が保証されるか評価するために、モバイル通信デバイスの速度およびＲＳＲＰ／ＲＳＲＱ情報を含んでよいが、それらに限定されない。
【００６９】
具体的には、段階６１０Ａで特定された速度がある特定の値より低いかが決定６１２Ａにおいて判断される。具体的には、決定６１２Ａは、モバイル通信デバイスが移動していないか、または再選択を避けることを可能とするのに十分遅い速度で移動しているか判断するものである。そうである場合、示されているように方法６００Ａは追加の決定を続ける。
【００７０】
示されているように、まず決定６１４Ａにおいて、潜在的なターゲットセルのＲＳＲＰ／ＲＳＲＱ情報が設定可能な値より悪いか判断される。そのような値は、特定の再選択回避技術が開始される感度を制御するために、モバイル通信デバイス、ネットワーク、および／または任意の他のエンティティにより設定可能であってよい。さらにそれから、決定６１６Ａにおいて、現在のサービングセルのＲＳＲＰ／ＲＳＲＱ情報が潜在的なターゲットセルのＲＳＲＰ／ＲＳＲＱ情報より良好か（例えば、所定の閾値等により）判断される。決定６１４Ａおよび６１６Ａの両方の決定が肯定的であった場合、段階６１８Ａにおいてターゲットセルのダウンリンク搬送波周波数の優先度が下げられる。そのような優先度を下げることの結果として、優先度のより高い周波数の優先度が優先度の低い周波数と同じ優先度レベルまで下げられることになる。この目的で、再選択が避けられる。
【００７１】
他方、段階６０６Ａにおいて、再選択基準を満たす隣接セルがないと判断された場合、決定６２２Ａにおいて、隣接セルの受信側（ＲＸ）レベル／品質がサービングセルのＲＸレベル／品質の閾値より良好か判断される。そうである場合、示されているように方法６００Ａは追加の決定を続け、潜在的なターゲットセルとして隣接セルが選択される。
【００７２】
具体的には、現在のサービングセルの周波数の優先度が選択される潜在的なターゲットセルの周波数の優先度より高いか判断される。決定６２４Ａを参照のこと。そうである場合、それから、段階６２６Ａにおいて特定される情報に基づき複数の他の判断がなされる。そのような情報は、再選択回避が保証されるか評価するために、モバイル通信デバイスの速度およびＲＳＲＰ／ＲＳＲＱ情報を含んでよいが、それらに限定されない。
【００７３】
具体的には、段階６２６Ａで特定された速度がある特定の値より低いかが決定６２８Ａにおいて判断される。具体的には、決定６２８Ａは、モバイル通信デバイスが移動していないか、または再選択を避けることを可能とするのに十分遅い速度で移動しているか判断するものである。そうである場合、示されているように、以下の追加の決定に続く。
【００７４】
まず決定６３０Ａにおいて、サービングセルのＲＳＲＰ／ＲＳＲＱ情報が設定可能な値より悪いか判断される。そのような値は、特定の再選択回避技術が開始される感度を制御するために、モバイル通信デバイス、ネットワーク、および／または任意の他のエンティティにより設定可能であってよい。さらにそれから、決定６３２Ａにおいて、現在のサービングセルのＲＳＲＰ／ＲＳＲＱ情報が選択されるターゲットセルのＲＳＲＰ／ＲＳＲＱ情報より悪いか（例えば、所定の閾値等により）判断される。決定６３０Ａおよび６３２Ａの両方の決定が肯定的であった場合、段階６３４Ａにおいてサービングセルのダウンリンク搬送波周波数の優先度が下げられる。この目的で、優先度の低い周波数上のセルのセル再選択が段階６３６Ａにおいて起こる。基準ベースの条件に基づくセル再選択により、モバイル通信デバイスのアイドルモード状態と接続モード状態との間でのピンポンセル再選択／ハンドオーバループが避けられる。
【００７５】
示されているように、方法６００Ａは、モバイル通信デバイスが閾値速度を呈するとき、および／または上記に明らかにされている信号品質基準を満たさないとき再選択（およびその後に続くハンドオーバ）が再びその後に起こり得るように継続的に決定６１２Ａ、６１４Ａ、６１６Ａ、６２８Ａ、６３０Ａおよび６３２Ａを再チェックするようループする。そのようなことが生じた場合、指定された周波数は、ターゲットセルへの通常の再選択が生じ得るよう非再選択リストから取り除かれるものとしてよい（および、この特定の技術の影響が逆にされてよい）。
【００７６】
示されていないが、決定６１２Ａ、６１４Ａ、６１６Ａ、６２８Ａ、６３０Ａおよび６３２Ａのうち一部または全てが、関連する基準が所定の時間量の間満たされているか判断するものであってもよい。そうでない場合、関連する決定６１２Ａ、６１４Ａ、６１６Ａ、６２８Ａ、６３０Ａおよび６３２Ａのそれぞれの結果が否定的な結果となり得、結果的に（再選択回避を生じさせる）最終的な基準が満たされないことになる。
【００７７】
いずれの場合も、決定６０８Ａの判断が否定的である、および／または決定６１２Ａ、６１４Ａおよび６１６Ａのうち何れかの判断が否定的である場合、ターゲットセルの再選択が生じさせられる。段階６２０Ａを参照のこと。決定６２４Ａの判断が否定的である、および／または決定６２８Ａ、６３０Ａおよび６３２Ａのうち何れかの判断が否定的である場合、セル再選択は起こらない。
【００７８】
この設計により、特定の状況下で再選択が避けられて、（ネットワークシグナリングオーバーヘッドの形態の）ネットワーク側の、および（バッテリ電力の形態の）モバイル通信デバイス側のリソースが節約される。
【００７９】
図６Ｂは、またさらに他の実施形態に係る、第２の特定の技術を利用する基準ベースの条件に基づくセル再選択のための方法６００Ｂを図示している。オプションとして、方法６００Ｂは、任意の前の、および／または後の図面および／またはそれらの説明で明らかにされている実施形態のうち任意の１または複数の実施形態の任意の特徴により実施され得る。しかしながら、方法６００Ｂが任意の所望される環境の状況で実施され得ることが理解されるであろう。
【００８０】
図６Ａの方法６００Ａと同様に、方法６００Ｂは、段階／決定６０２Ａ、６０４Ａ、６０６Ａ、６０７Ａ、６０８Ａ、６１０Ａ、６１２Ａ、６１４Ａ、６１６Ａ、６２０Ａ、６２２Ａ、６２４Ａ、６２６Ａ、６２６Ａ、６２８Ａ、６３０Ａ、６３２Ａおよび６３６Ａとの相関性をそれぞれ有する（したがって、参照によりここに組み込まれる）複数の段階／決定６０２Ｂ、６０４Ｂ、６０６Ｂ、６０７Ｂ、６０８Ｂ、６１０Ｂ、６１２Ｂ、６１４Ｂ、６１６Ｂ、６２０Ｂ、６２２Ｂ、６２４Ｂ、６２６Ｂ、６２６Ｂ、６２８Ｂ、６３０Ｂ、６３２Ｂおよび６３６Ｂを含む。しかしながら、段階６１８Ｂおよび６３４Ｂに示されているように、方法６００Ｂは、モバイル通信デバイスのアイドルモード状態と接続モード状態との間でのピンポンセル再選択／ハンドオーバループを避けるのに異なる特定の技術を利用する。
【００８１】
特に、段階６１８Ｂおよび６３４Ｂに示されているように、そのような処理が再選択を避けるようにバイアスをかけるよう追加の設定可能なパラメータが、再選択処理中に利用され得る。このことは、モバイル通信デバイスのアイドルモード状態と接続モード状態との間のピンポンセル再選択／ハンドオーバループを避けられるよう関連する閾値および／または時間に関する要件を上げる、または下げることを伴い得る。様々な実施形態において、そのようなパラメータは、モバイル通信デバイスにより、および／またはネットワークにより設定されてよく、それからモバイル通信デバイスに通信されてよい。
【００８２】
そのようなパラメータにバイアスをかけることにより、再選択が生じにくくなる。この目的で、これらパラメータは、デバイスが優先度を無視することを決定する二分決定を組み込むこととは反対に再選択における優先度の使用を実質的に「弱め」、したがって、そのような「弱める」度合いをネットワークサービスプロバイダの制御下に置く。
【００８３】
示されているように、方法６００Ｂは、モバイル通信デバイスが閾値速度を呈するとき、および／または上記に明らかにされている信号品質基準を満たさないとき再選択（およびその後に続くハンドオーバ）が再びその後に起こり得るように継続的に決定６１２Ｂ、６１４Ｂ、６１６Ｂまたは６２８Ｂ、６３０Ｂ、６３２Ｂを再チェックするようループする。そのようなことが生じた場合、指定された周波数は、ターゲットセルへの通常の再選択が生じ得るよう非再選択リストから取り除かれるものとしてよい（および、この特定の技術の影響が逆にされてよい）。
【００８４】
図６Ｃは、またさらに他の実施形態に係る、第３の特定の技術を利用する基準ベースの条件に基づくセル再選択のための方法６００Ｃを図示している。オプションとして、方法６００Ｃは、任意の前の、および／または後の図面および／またはそれらの説明で明らかにされている実施形態のうち任意の１または複数の実施形態の任意の特徴により実施され得る。しかしながら、方法６００Ｃが任意の所望される環境の状況で実施され得ることが理解されるであろう。
【００８５】
図６Ａ／Bの方法６００Ａ／Ｂと同様に、方法６００Ｃは、段階／決定６０２Ａ／Ｂ、６０４Ａ／Ｂ、６０６Ａ／Ｂ、６０７Ａ／Ｂ、６０８Ａ／Ｂ、６１０Ａ／Ｂ、６１２Ａ／Ｂ、６１４Ａ／Ｂ、６１６Ａ／Ｂ、６２０Ａ／Ｂ、６２２Ａ／Ｂ、６２４Ａ／Ｂ、６２６Ａ／Ｂ、６２６Ａ／Ｂ、６２８Ａ／Ｂ、６３０Ａ／Ｂ、６３２Ａ／Ｂ、および６３６Ａ／Ｂとの相関性をそれぞれ有する（したがって、参照によりここに組み込まれる）複数の段階／決定６０２Ｃ、６０４Ｃ、６０６Ｃ、６０７Ｃ、６０８Ｃ、６１０Ｃ、６１２Ｃ、６１４Ｃ、６１６Ｃ、６２０Ｃ、６２２Ｃ、６２４Ｃ、６２６Ｃ、６２６Ｃ、６２８Ｃ、６３０Ｃ、６３２Ｃおよび６３６Ｃを含む。しかしながら、段階６１８Ｃおよび６３４Ｃに示されているように、方法６００Ｃは、モバイル通信デバイスのアイドルモード状態と接続モード状態との間でのピンポンセル再選択／ハンドオーバループを避けるのに異なる特定の技術を利用する。
【００８６】
特に、段階６１８Ｃに示されているように、ターゲットセルの周波数が、再選択を防ぐよう非再選択リストに加えられてよい。したがってそのようなものはブラックリストとして機能し得、それにより、完全に再選択を防いでよい。上記の実施形態と同様に、本技術は、ネットワークまたはモバイル通信デバイスにより管理されてよい。同様に、段階６３４Ｃに示されているように、サービングセルの周波数が非再選択リストに加えられて、これによっても、モバイル通信デバイスのアイドルモード状態と接続モード状態との間のピンポンセル再選択／ハンドオーバループを防いでよい。
【００８７】
示されているように、方法６００Ｃは、モバイル通信デバイスが閾値速度を呈するとき、および／または上記に明らかにされている信号品質基準を満たさないとき再選択（およびその後に続くハンドオーバ）が再びその後に起こり得るように継続的に決定６１２Ｃ、６１４Ｃ、６１６Ｃまたは６２８Ｃ、６３０Ｃ、６３２Ｃを再チェックするようループする。そのようなことが生じた場合、指定された周波数は、ターゲットセルへの通常の再選択が生じ得るよう非再選択リストから取り除かれるものとしてよい（および、この特定の技術の影響が逆にされてよい）。
【００８８】
図６Ｄは、一実施形態に係る、本明細書で開示されている特定の技術のうち何れかを実施する結果として生じ得るモバイル通信デバイス上の潜在的な電力／シグナリング節約を示すプロット６００を図示している。示されているように、第１プロット６０２は、本明細書で開示されている特定の技術のうち何れの使用もない場合の電力／シグナリング量を示しており、他方第２プロット６０４は、本明細書で開示されている特定の技術のうち何れかを用いている間の電力／シグナリング量を示している。さらに、第１プロット６０２は各サイクルで、モバイル通信デバイスを接続モードに切り替えるのに第１の量の電力／シグナリング６０６を必要とし、測定報告、ハンドオーバの実施、アイドルモードへの接続の解放、および高優先度のセルの再選択のために第２の量の電力／シグナリング６０８を必要とする。
【００８９】
上記で明らかにしたように、各サイクルは、アイドルモード状態から接続モード状態への切り替えと、関連するハンドオーバとを含み、その後に、接続モード状態からアイドルモード状態への切り替えと、関連する再選択とを含む。対称的に、第２プロット６０４において、そのような電力／シグナリングは、第１サイクルに関してのみ必要とされ、第１サイクルの後には、再選択（よって、その後に続くハンドオーバ、および付随する測定等）を避けることにより第２の量の電力／シグナリング６０８が避けられる。当然、これら潜在的な電力／シグナリング節約は例示のみを目的として明らかにされており、如何様にも限定するものとして解釈されるべきではない。
【００９０】
図７は、一実施形態に係るネットワークアーキテクチャ７００を図示している。一実施形態において、これまでここに開示されてきた特徴のうち１または複数が、本ネットワークアーキテクチャ７００の状況で実施されてもよく、または実施されなくてもよい。
【００９１】
示されているように、少なくとも１つのネットワーク７０２が提供される。本ネットワークアーキテクチャ７００の状況で、ネットワーク７０２は、遠距離通信ネットワーク、ローカルエリアネットワーク（ＬＡＮ）、無線ネットワーク、インターネット等の広域ネットワーク（ＷＡＮ）、ピアツーピアネットワーク、ケーブルネットワーク等を含むがこれらに限定されない任意の形態であってよい。１つのネットワークのみが示されているが、２つまたはより多くの同様の、または種々のネットワーク７０２が提供されてよいことが理解されるべきである。
【００９２】
ネットワーク７０２には複数のデバイスが接続される。例えば、サーバコンピュータ７１２およびエンドユーザコンピュータ７０８が、通信目的でネットワーク７０２に接続されてよい。そのようなエンドユーザコンピュータ７０８は、デスクトップコンピュータ、ラップトップコンピュータ、および／または任意の他のタイプのロジックを含んでよい。またさらに、パーソナルデジタルアシスタント（ＰＤＡ）デバイス７１０、モバイルフォンデバイス７０６、テレビ７０４等を含む様々な他のデバイスがネットワーク７０２に接続されてよい。
【００９３】
図８は、一実施形態に係る例示的なシステム８００を図示している。オプションとして、システム８００は、図７のネットワークアーキテクチャ７００のデバイスのうち何れかの状況で実施されてよい。しかしながら、システム８００が任意の所望される環境で実施され得ることが理解されるであろう。
【００９４】
示されているように、バス８１２に接続される少なくとも１つの中央プロセッサ８０１を含むシステム８００が提供される。システム８００は、メインメモリ８０４［例えば、ハードディスクドライブ、ソリッドステートドライブ、ランダムアクセスメモリ（ＲＡＭ）等］も含む。システム８００は、グラフィクスプロセッサ８０８およびディスプレイ８１０も含む。
【００９５】
システム８００は二次記憶装置８０６も含んでよい。二次記憶装置８０６は、例えば、ハードディスクドライブ、および／または、フロッピーディスクドライブ、磁気テープドライブ、コンパクトディスクドライブ等を表すリムーバブル記憶ドライブを含んでよい。リムーバブル記憶ドライブは、周知の方式でリムーバブル記憶ユニットから読み取る、および／またはそこに書き込む。
【００９６】
コンピュータプログラム、またはコンピュータ制御ロジックアルゴリズムが、メインメモリ８０４、二次記憶装置８０６、および／またはそのようなことに関する任意の他のメモリに格納されてよい。そのようなコンピュータプログラムは、実行された場合に、システム８００が（例えば上記に明らかにされているように）様々な機能を実施することを可能とする。メモリ８０４、二次記憶装置８０６、および／または任意の他の記憶装置が、実体のあるコンピュータ可読媒体の考えられる例である。
【００９７】
本明細書で説明されている技術は、ある態様において、コンピュータベースの、またはプロセッサ内蔵のマシン、装置、またはデバイス等の命令実行マシン、装置、またはデバイスにより、またはそれらに関連して用いるためにコンピュータ可読媒体に格納された実行可能命令で具現化されてよいことに留意されたい。磁気カセット、フラッシュメモリカード、デジタルビデオディスク、ベルヌーイカートリッジ、ランダムアクセスメモリ（ＲＡＭ）、読み取り専用メモリ（ＲＯＭ）、および同様のもの等の、コンピュータがアクセス可能なデータを格納し得る他のタイプのコンピュータ可読媒体が一部の実施形態に関して含まれることが当業者には理解されるであろう。
【００９８】
ここで用いられているように、「コンピュータ可読媒体」は、命令実行マシン、システム、装置、またはデバイスがコンピュータ可読媒体からコンピュータプログラムの実行可能命令を読み取り（またはフェッチし）説明されている方法を実行するためにそれら命令を実行し得るようそれら命令を格納するための任意の適した媒体のうち１または複数を含む。適した記憶装置フォーマットは、電子、磁気、光学式、および電磁フォーマットのうち１または複数を含む。従来の例示的なコンピュータ可読媒体の非網羅的なリストは、ポータブルコンピュータディスケット、ＲＡＭ、ＲＯＭ、消去可能プログラマブル読み取り専用メモリ（ＥＰＲＯＭまたはフラッシュメモリ）、ポータブルコンパクトディスク（ＣＤ）、ポータブルデジタルビデオディスク（ＤＶＤ）、高精細度ＤＶＤ（ＨＤ−ＤＶＤ（商標））、ＢＬＵ−ＲＡＹ（登録商標）ディスクを含む光学式記憶デバイス、および同様のものを含む。
【００９９】
説明されている図面において図示されているコンポーネントの配置は例示的なものであり、他の配置が可能であることが理解されるべきである。請求項により定められる、以下に説明されている、および、様々なブロック図において図示されている様々なシステムコンポーネント（および手段）は、本明細書で開示されている主題に従って構成されるいくつかのシステムのロジカルコンポーネントを表すことも理解されるべきである。
【０１００】
例えば、これらシステムコンポーネント（および手段）のうち１または複数は、全体的に、または部分的に、説明されている図面において図示されている配置で図示されているコンポーネントのうち少なくとも一部により実現されてよい。加えて、これらコンポーネントのうち少なくとも１つは少なくとも部分的に電子ハードウェアコンポーネントとして実施され、したがってマシンを構成するが、他のコンポーネントは、実行環境に含められたときにマシン、ハードウェア、またはソフトウェアとハードウェアとの組み合わせを構成するソフトウェアで実施されてよい。
【０１０１】
より具体的には、請求項により定められる少なくとも１つのコンポーネントは、少なくとも部分的に、命令実行マシン（例えば、プロセッサベースまたはプロセッサ内蔵のマシン、および／または特化した回路または電気回路構成（例えば、特化した機能を実施するようインターコネクトされたディスクリートロジックゲート）等の電子ハードウェアコンポーネントとして実施される。他のコンポーネントが、ソフトウェア、ハードウェア、またはソフトウェアとハードウェアとの組み合わせで実施されてよい。さらに、これら他のコンポーネントのうち一部または全てが組み合わせてよく、一部が完全に省略されてよく、追加のコンポーネントが加えられてよく、それでいて依然として、本明細書において説明されている機能性を達成する。したがって、本明細書において説明されている主題は、多くの種々の変形例で具現化されてよく、全てのそのような変形例が、特許請求されるものの範囲に含まれるものとして考えられる。
【０１０２】
上記の説明において、主題は、異なるように示されていない限り、１または複数のデバイスにより実施される動作およびオペレーションの記号的な表現を参照して説明されている。よって、時折コンピュータ実行されるものとして言及されているそのような動作およびオペレーションは、構造化された形態のデータの、プロセッサによる操作を含むことが理解されるであろう。この操作によって、データは変換され、またはコンピュータのメモリシステム内の位置にあるままとされ、これにより、当業者にはよく理解される方式でデバイスのオペレーションを再構成する、または任意の他の方式で変化させる。データは、データのフォーマットにより定められる特定のプロパティを有するデータ構造としてメモリの物理位置にあるままとされる。しかしながら、以下に説明されている様々な動作およびオペレーションがハードウェアで実施されてもよいことを当業者が理解するように、主題が先述の文脈で説明されつつもそれは限定するものではない。
【０１０３】
本明細書で説明されている主題の理解を容易にすべく、多くの態様が一連の動作に関して説明されている。請求項により定められるこれら態様のうち少なくとも１つは、電子ハードウェアコンポーネントにより実施される。例えば、特化した回路または電気回路構成により、１または複数のプロセッサによりプログラム命令が実行されることにより、またはこれら両方の組み合わせにより様々な動作が実施されてよいことが理解されるであろう。任意の一連の動作の本明細書における説明は、その一連のものを実施するために、説明されている具体的な順序に沿わなければならないことを示唆することは意図されていない。本明細書において異なることが示されていない限り、または他の任意の形式で文脈上明らかに矛盾していない限り、本明細書で説明されている全ての方法が、任意の適した順序で実施されてよい。
【０１０４】
主題を説明する文脈で（具体的には、以下の請求項の文脈で）「１つの（ａ）」、「１つの（ａｎ）」、および「その（ｔｈｅ）」といった用語、および同様の指示語の使用は、異なることが本明細書において示されていない限り、または文脈上明らかに矛盾しない限り、単数形および複数形の両方を網羅するものと解釈されるべきである。本明細書において異なることが示されていない限り、本明細書における値の範囲についての言及は単に、その範囲内に含まれるそれぞれの別個の値を個別に指す簡略された方法としての役割を果たすことが意図されており、それぞれの別個の値が、本明細書において個別に言及されているかのように本明細書に組み込まれる。さらに、得ようとしている保護の範囲は以下に明らかにされている請求項と、またそれらと併せて、主張する権利があるそれらの任意の均等物とによって定められるので、先述の説明は、例示のみを目的としており限定を目的としてはいない。本明細書において提供されている任意の、および全ての例、または例示的な言葉（例えば、「等の」）の使用は単に、主題をより良好に例示することが意図されており、異なるように特許請求されていない限り主題の範囲を限定するものではない。「に基づき」といった用語、および、ある結果をもたらすための条件を示す他の同様のフレーズの使用は、請求項および発明を実施するための形態の両方において、その結果をもたらす任意の他の条件を除外することは意図されていない。本明細書におけるどの言葉も、任意の特許請求されていない要素が特許請求されている発明の実施にとって必須であると示すものと解釈されるべきではない。
【０１０５】
本明細書で説明されている実施形態は、特許請求されている主題を実行するための、本発明者にとっては公知の１または複数の態様を含む。先述の説明を読むことにより当業者には、それら実施形態の変形例が明らかとなることが理解されるであろう。本発明者は当業者がそのような変形例を適宜採用することを想定しており、本発明者は、特許請求されている主題が本明細書で具体的に説明されているのとは異なる他のやり方で実施されることを意図している。したがって、この特許請求されている主題は、該当する法令に許可されるように本明細書に付随している請求項で述べられている主題の全ての変更および均等物を含む。さらに、本明細書において異なることが示されていない限り、または他の任意の方式で文脈上明らかに矛盾していない限り、上記の要素の全ての考えられる変形例でそれら要素の任意の組み合わせが網羅される。
【図１Ａ】
2019521589.tif 000004
【図１Ｂ】
2019521589.tif 000005
【図２】
2019521589.tif 000006
【図３】
2019521589.tif 000007
【図４】
2019521589.tif 000008
【図５】
2019521589.tif 000009
【図６Ａ】
2019521589.tif 000010
【図６Ｂ】
2019521589.tif 000011
【図６Ｃ】
2019521589.tif 000012
【図６Ｄ】
2019521589.tif 000013
【図７】
2019521589.tif 000014
【図８】
2019521589.tif 000015
【国際調査報告】
2019521589.tif 000016
2019521589.tif 000017